(57)【要約】      （修正有）【課題】ユーザの操作を最小化し、複数個のテレビ間で画質をマッチングする装置、システム及び方法を提供する。【解決手段】モバイル装置１０３において、第１ディスプレイ装置１０１で表示中の第１映像及び第２ディスプレイ装置で表示中の第２映像をそれぞれ獲得しＳ４０５、第１映像及び第２映像を相互比較しＳ４０７、第１映像の画質及び第２映像の画質が同一又は類似するように、第１ディスプレイ装置又は第２ディスプレイ装置の画質補正値を決定しＳ４０９、決定された画質補正値を第１ディスプレイ装置又は第２ディスプレイ装置に伝送するＳ４１０。【選択図】図４
2015159540.tif 000002
【特許請求の範囲】
【請求項１】
モバイル装置において、
第１ディスプレイ装置で表示中の第１映像及び第２ディスプレイ装置で表示中の第２映像をそれぞれ獲得する映像獲得部と、
前記獲得された第１映像及び第２映像を相互比較し、前記第１映像の画質及び前記第２映像の画質が同一または類似するように前記第１ディスプレイ装置の画質補正値を決定する制御部と、
前記決定された画質補正値を前記第１ディスプレイ装置に伝送する通信部と
を含む複数個のディスプレイ装置間で画質をマッチングするモバイル装置。
【請求項２】
前記制御部は、
前記第１映像の画質及び前記第２映像の画質の差が一定値以下になるように前記第１ディスプレイ装置の画質補正値を決定することを特徴とする請求項１に記載の複数個のディスプレイ装置間で画質をマッチングするモバイル装置。
【請求項３】
前記制御部は、
前記第１映像に含まれたピクセルの色相値と前記第２映像に含まれたピクセルの色相値との差を考慮し、前記第１ディスプレイ装置の画質補正値を決定することを特徴とする請求項１に記載の複数個のディスプレイ装置間で画質をマッチングするモバイル装置。
【請求項４】
前記第１ディスプレイ装置で表示中の第１映像及び前記第２ディスプレイ装置で表示中の第２映像は、ソースが同一の映像であることを特徴とする請求項１に記載の複数個のディスプレイ装置間で画質をマッチングするモバイル装置。
【請求項５】
前記制御部は、
前記第２ディスプレイ装置の画質補正値を更に決定し、
前記通信部は、
前記決定された画質補正値を前記第２ディスプレイ装置に伝送することを特徴とする請求項１に記載の複数個のディスプレイ装置間で画質をマッチングするモバイル装置。
【請求項６】
第１及び第２ディスプレイ装置及びモバイル装置を含むシステムにおいて、
前記モバイル装置は、前記第１ディスプレイ装置で表示中の第１映像及び前記第２ディスプレイ装置で表示中の第２映像をそれぞれ獲得し、前記獲得された第１映像及び第２映像を相互比較し、前記第１映像の画質及び前記第２映像の画質が同一または類似するように前記第１ディスプレイ装置の画質補正値を決定し、前記決定された画質補正値を前記第１ディスプレイ装置に伝送し、
前記第１ディスプレイ装置は、前記モバイル装置から受信された画質補正値を用いてディスプレイされる映像の画質を補正する第１及び第２ディスプレイ装置及びモバイル装置を含むシステム。
【請求項７】
ディスプレイ装置において、
第１映像をディスプレイするディスプレイ部と、
外部ディスプレイ装置で表示中の第２映像を獲得する映像獲得部と、
前記第１映像と前記第２映像とを相互比較し、前記第１映像の画質及び前記第２映像の画質が同一または類似するように画質補正値を決定し、前記決定された画質補正値を用いて前記ディスプレイ部で表示される映像の画質を補正する制御部と
を含む複数個のディスプレイ装置間で画質をマッチングするディスプレイ装置。
【請求項８】
前記外部ディスプレイ装置と通信を行う通信部を更に含み、
前記通信部は、前記外部ディスプレイ装置から前記ディスプレイ装置で表示中の前記第１映像を受信することを特徴とする請求項７に記載の複数個のディスプレイ装置間で画質をマッチングするディスプレイ装置。
【請求項９】
前記外部ディスプレイ装置と通信を行う通信部を更に含み、
前記制御部は、前記第１映像の画質及び前記第２映像の画質が同一または類似するように前記外部ディスプレイ装置の画質補正値を決定し、
前記通信部は、前記決定された画質補正値を前記外部ディスプレイ装置に伝送することを特徴とする請求項７に記載の複数個のディスプレイ装置間で画質をマッチングするディスプレイ装置。
【請求項１０】
第１ディスプレイ装置及び第２ディスプレイ装置を含むシステムにおいて、
前記第２ディスプレイ装置は、前記第１ディスプレイ装置で表示中の第１映像を獲得し、前記獲得された第１映像を前記第１ディスプレイ装置に伝送し、
前記第１ディスプレイ装置は、前記第２ディスプレイ装置でディスプレイされる第２映像を獲得し、前記獲得された第２映像と前記第２ディスプレイ装置から受信された第１映像とを相互比較し、前記第１映像の画質及び前記第２映像の画質が同一または類似するように前記第１ディスプレイ装置の画質補正値を決定し、前記決定された画質補正値を用いて表示される映像の画質を補正する第１ディスプレイ装置及び第２ディスプレイ装置を含むシステム。
【請求項１１】
ディスプレイ装置において、
前記ディスプレイ装置で表示中の第１映像及び外部ディスプレイ装置で表示中の第２映像を受信する通信部と、
前記第１映像と前記第２映像とを相互比較し、前記第１映像の画質及び前記第２映像の画質が同一または類似するように画質補正値を決定し、前記画質補正値を用いて前記ディスプレイ装置で表示される映像の画質を補正する制御部と
を含む複数個のディスプレイ装置間で画質をマッチングするディスプレイ装置。
【請求項１２】
前記制御部は、
前記第１映像の画質及び前記第２映像の画質が同一または類似するように前記外部ディスプレイ装置の画質補正値を決定し、前記通信部は、前記決定された画質補正値を前記外部ディスプレイ装置に伝送することを特徴とする請求項１１に記載の複数個のディスプレイ装置間で画質をマッチングするディスプレイ装置。
【請求項１３】
ディスプレイ装置及びモバイル装置を含むシステムにおいて、
前記モバイル装置は、第１ディスプレイ装置で表示中の第１映像及び第２ディスプレイ装置で表示中の第２映像をそれぞれ獲得し、前記第１映像及び前記第２映像を前記第１ディスプレイ装置に伝送し、
前記ディスプレイ装置は、前記モバイル装置から受信された前記第１映像と前記第２映像とを相互比較し、前記第１映像の画質及び前記第２映像の画質が同一または類似するように前記第１ディスプレイ装置の画質補正値を決定し、前記決定された画質補正値を用いてディスプレイされる映像の画質を補正するディスプレイ装置及びモバイル装置を含むシステム。
【請求項１４】
モバイル装置の複数個のディスプレイ装置間で画質をマッチングする方法において、
第１ディスプレイ装置で表示中の第１映像及び第２ディスプレイ装置で表示中の第２映像をそれぞれ獲得するステップと、
前記第１映像と前記第２映像とを相互比較し、前記第１映像の画質及び前記第２映像の画質が同一または類似するように前記第１ディスプレイ装置の画質補正値を決定するステップと、
前記決定された画質補正値を前記第１ディスプレイ装置に伝送するステップと
を含む複数個のディスプレイ装置間で画質をマッチングする方法。
【請求項１５】
前記第１ディスプレイ装置の画質補正値を決定するステップは、
前記第１映像の画質及び前記第２映像の画質の差が一定値以下になるように前記第１ディスプレイ装置の画質補正値を決定するステップであることを特徴とする請求項１４に記載の複数個のディスプレイ装置間で画質をマッチングする方法。
【発明の詳細な説明】
【技術分野】
【０００１】
本発明は、ディスプレイ装置、モバイル装置、これらを含むシステム及びその画質マッチング方法に関し、より詳細には、映像を表示する複数個のディスプレイ装置間で画質をマッチングするディスプレイ装置、モバイル装置、これらを含むシステム及びその画質マッチング方法に関する。
【背景技術】
【０００２】
ディスプレイの具備されたテレビの使用が普遍化するにつれ、複数個のテレビを用いて映像を表示するユーザ環境が次第に増加している。複数個のテレビを利用する場合、ユーザは複数個のテレビのそれぞれを通じて相互異なる複数個の映像を表示することもでき、または、複数個のテレビを通じて１つの映像を表示することもできる。
【０００３】
複数個のテレビを通じて１つの映像を表示する場合、ユーザは高価な大型画面のテレビを購入することなく、安価な複数個のテレビを用いて大型画面を構成することができる。複数個のテレビからなる大型画面はユーザに没入感及びスペクタクル感を提供することができる。なお、複数個のテレビで構成された大型画面は公共の場所に設置されて広告または宣伝等の目的を使用することができる。
【先行技術文献】
【特許文献】
【０００４】
【特許文献１】韓国特開第２０１１−００５１９４６号公報
【特許文献２】韓国特開第２０１２−００５０７４５号公報
【発明の概要】
【発明が解決しようとする課題】
【０００５】
複数個のテレビを用いて大型画面を構成する場合、複数個のテレビのそれぞれのパネル及び映像処理装置の相違性によって複数個のテレビ間の映像の画質に差が生じかねない。この場合、複数個のテレビのそれぞれの画質を手動で調整して画質の差を軽減することはできるが、専門家ではない一般の人が複数個のテレビのそれぞれに画質をマッチングすることは容易なことではない。
【０００６】
よって、ユーザの操作を最小化し、複数個のテレビ間で画質をマッチングする方法及びそれを用いる装置が要求される。本開示の多様な実施形態に係る方法及び装置によると、複数のテレビ間で画質の差を最小化することができる。その他に、本開示に記述された内容に鑑みて、本分野の通常の知識を有する者に自明な他の問題点を改善することができる。
【課題を解決するための手段】
【０００７】
本発明の一実施形態によると、複数個のディスプレイ装置間で画質をマッチングするモバイル装置は、第１ディスプレイ装置で表示中の第１映像及び第２ディスプレイ装置で表示中の第２映像をそれぞれ獲得する映像獲得部と、前記獲得された第１映像及び第２映像を相互比較し、前記第１映像の画質及び前記第２映像の画質が同一または類似するように前記第１ディスプレイ装置の画質補正値を決定する制御部と、前記決定された画質補正値を前記第１ディスプレイ装置に伝送する通信部とを含む。
【０００８】
前記制御部は、前記第１映像の画質及び前記第２映像の画質の差が一定値以下になるように前記第１ディスプレイ装置の画質補正値を決定してよい。
【０００９】
前記制御部は、前記第１映像に含まれたピクセルの色相値と前記第２映像に含まれたピクセルの色相値との差を考慮し、前記第１ディスプレイ装置の画質補正値を決定してよい。
【００１０】
前記第１ディスプレイ装置で表示中の第１映像及び前記第２ディスプレイ装置で表示中の第２映像は、ソースが同一の映像であってよい。
【００１１】
本発明の別の実施形態によると、第１及び第２ディスプレイ装置及びモバイル装置を含むシステムにおいて、前記モバイル装置は、前記第１ディスプレイ装置で表示中の第１映像及び前記第２ディスプレイ装置で表示中の第２映像をそれぞれ獲得し、前記獲得された第１映像及び第２映像を相互比較し、前記第１映像の画質及び前記第２映像の画質が同一または類似するように前記第１ディスプレイ装置の画質補正値を決定し、前記決定された画質補正値を前記第１ディスプレイ装置に伝送し、前記第１ディスプレイ装置は、前記モバイル装置から受信された画質補正値を用いてディスプレイされる映像の画質を補正する。
【００１２】
本発明の更に別の実施形態によると、複数個のディスプレイ装置間で画質をマッチングするディスプレイ装置は、第１映像をディスプレイするディスプレイ部と、外部ディスプレイ装置で表示中の第２映像を獲得する映像獲得部と、前記第１映像と前記第２映像とを相互比較し、前記第１映像の画質及び前記第２映像の画質が同一または類似するように画質補正値を決定し、前記決定された画質補正値を用いて前記ディスプレイ部で表示される映像の画質を補正する制御部とを含む。
【００１３】
前記ディスプレイ装置は、前記外部ディスプレイ装置と通信を行う通信部を更に含み、前記通信部は、前記外部ディスプレイ装置から前記ディスプレイ装置で表示中の前記第１映像を受信してよい。
【００１４】
前記ディスプレイ装置は、前記外部ディスプレイ装置と通信を行う通信部を更に含み、前記制御部は、前記第１映像の画質及び前記第２映像の画質が同一または類似するように前記外部ディスプレイ装置の画質補正値を決定し、前記通信部は、前記決定された画質補正値を前記外部ディスプレイ装置に伝送してよい。
【００１５】
本発明の更に別の実施形態によると、第１ディスプレイ装置及び第２ディスプレイ装置を含むシステムにおいて、前記第２ディスプレイ装置は、前記第１ディスプレイ装置で表示中の第１映像を獲得し、前記獲得された第１映像を前記第１ディスプレイ装置に伝送し、前記第１ディスプレイ装置は、前記第２ディスプレイ装置でディスプレイされる第２映像を獲得し、前記獲得された第２映像と前記第２ディスプレイ装置から受信された第１映像とを相互比較し、前記第１映像の画質及び前記第２映像の画質が同一または類似するように前記第１ディスプレイ装置の画質補正値を決定し、前記決定された画質補正値を用いて表示される映像の画質を補正する。
【００１６】
本発明の更に別の実施形態によると、複数個のディスプレイ装置間で画質をマッチングするディスプレイ装置は、前記ディスプレイ装置で表示中の第１映像及び外部ディスプレイ装置で表示中の第２映像を受信する通信部と、前記第１映像と前記第２映像とを相互比較し、前記第１映像の画質及び前記第２映像の画質が同一または類似するように画質補正値を決定し、前記画質補正値を用いて前記ディスプレイ装置で表示される映像の画質を補正する制御部とを含む。
【００１７】
前記制御部は、前記第１映像の画質及び前記第２映像の画質が同一または類似するように前記外部ディスプレイ装置の画質補正値を決定し、前記通信部は、前記決定された画質補正値を前記外部ディスプレイ装置に伝送してよい。
【００１８】
本発明の更に別の実施形態によると、ディスプレイ装置及びモバイル装置を含むシステムにおいて、前記モバイル装置は、第１ディスプレイ装置で表示中の第１映像及び第２ディスプレイ装置で表示中の第２映像をそれぞれ獲得し、前記第１映像及び前記第２映像を前記第１ディスプレイ装置に伝送し、前記ディスプレイ装置は、前記モバイル装置から受信された前記第１映像と前記第２映像とを相互比較し、前記第１映像の画質及び前記第２映像の画質が同一または類似するように前記第１ディスプレイ装置の画質補正値を決定し、前記決定された画質補正値を用いてディスプレイされる映像の画質を補正する、ディスプレイ装置及びモバイル装置を含む。
【００１９】
本発明の更に別の実施形態によると、モバイル装置の複数個のディスプレイ装置間で画質をマッチングする方法は、第１ディスプレイ装置で表示中の第１映像及び第２ディスプレイ装置で表示中の第２映像をそれぞれ獲得するステップと、前記第１映像と前記第２映像とを相互比較し、前記第１映像の画質及び前記第２映像の画質が同一または類似するように前記第１ディスプレイ装置の画質補正値を決定するステップと、前記決定された画質補正値を前記第１ディスプレイ装置に伝送するステップとを含む。
【００２０】
前記第１ディスプレイ装置の画質補正値を決定するステップは、前記第１映像の画質及び前記第２映像の画質の差が一定値以下になるように前記第１ディスプレイ装置の画質補正値を決定してよい。
【００２１】
前記第１ディスプレイ装置の画質補正値を決定するステップは、前記第１映像に含まれたピクセルの色相値と前記第２映像に含まれたピクセルの色相値との差を考慮し、前記第１ディスプレイ装置の画質補正値を決定するステップであってよい。
【００２２】
前記第１ディスプレイ装置で表示中の第１映像及び前記第２ディスプレイ装置で表示中の第２映像は、ソースが同一の映像であってよい。
【００２３】
本発明の別の実施形態によると、ディスプレイ装置の複数個のディスプレイ装置間で画質をマッチングする方法は、外部ディスプレイ装置で表示中の第２映像を獲得するステップと、前記第１ディスプレイ装置で表示中の第１映像と前記第２映像とを相互比較し、前記第１映像の画質及び前記第２映像の画質が同一または類似するように前記ディスプレイ装置の画質補正値を決定し、前記決定された画質補正値を用いて前記ディスプレイ装置で表示される映像の画質を補正するステップとを含む。
【００２４】
前記外部ディスプレイ装置から前記ディスプレイ装置で表示中の前記第１映像を受信するステップを更に含んでよい。
【００２５】
前記第１映像の画質及び前記第２映像の画質が同一または類似するように前記外部ディスプレイ装置の画質補正値を決定するステップと、前記決定された画質補正値を前記外部ディスプレイ装置に伝送するステップとを更に含んでよい。
【００２６】
本発明の更に別の実施形態によると、ディスプレイ装置の複数個のディスプレイ装置間で画質をマッチングする方法は、前記ディスプレイ装置で表示中の第１映像及び外部ディスプレイ装置で表示中の第２映像を受信するステップと、前記第１映像と前記第２映像とを相互比較し、前記第１映像の画質及び前記第２映像の画質が同一または類似するように前記ディスプレイ装置の画質補正値を決定し、前記決定された画質補正値を用いて前記ディスプレイ装置で表示される映像の画質を補正するステップとを含む。
【００２７】
前記ディスプレイ装置の複数個のディスプレイ装置間で画質をマッチングする方法は、前記第１映像の画質及び前記第２映像の画質が同一または類似するように前記外部ディスプレイ装置の画質補正値を決定するステップと、前記決定された画質補正値を前記第２ディスプレイ装置に伝送するステップとを更に含んでよい。
【発明の効果】
【００２８】
以上説明したように、本発明によれば、ユーザはモバイル装置またはカメラが具備されたテレビ等を用いて複数個のテレビ等を用いて複数個のテレビ間で画質を自動的にマッチングすることができる。それにより、ユーザは、複数個のテレビ等の仕様の差異にもかかわらず、複数のテレビ間で画質のマッチングされた大型画面を容易に構成することができる。
【００２９】
その他に、本発明の実施形態によって得られたり予測できる効果については、本開示の実施形態に対する詳細な説明で直接または暗示的に開示する。すなわち、本開示の実施形態によって予測できる多様な効果については、後述の詳細な説明においても説明する。
【図面の簡単な説明】
【００３０】
【図１】本発明の一実施形態に係る通信システムの構成を示す図である。
【図２】本発明の別の実施形態に係る通信システムの構成を示す図である。
【図３】本発明の一実施形態に係る電子装置の構成を示すブロック図である。
【図４】本発明の一実施形態に係る図１の通信システムの接続制御方法を示すフローチャートである。
【図５】本発明の一実施形態に係る図２の通信システムの接続制御方法を示すフローチャートである。
【図６】本発明の他の実施形態に係る図１の通信システムの接続制御方法を示すフローチャートである。
【図７】モバイル装置が第１映像及び第２映像から獲得するピクセル値の位置を示す図である。
【図８Ａ】本発明の一実施形態に係る第１ディスプレイ装置または第２ディスプレイ装置の画質補正値が決定されるテーブルである。
【図８Ｂ】本発明の一実施形態に係る第１ディスプレイ装置または第２ディスプレイ装置の画質補正値が決定されるテーブルである。
【図８Ｃ】本発明の一実施形態に係る第１ディスプレイ装置または第２ディスプレイ装置の画質補正値が決定されるテーブルである。
【図８Ｄ】本発明の一実施形態に係る第１ディスプレイ装置または第２ディスプレイ装置の画質補正値が決定されるテーブルである。
【発明を実施するための形態】
【００３１】
以下、本発明に係る詳細な説明では上述の技術的な課題を解決するための代表的な実施形態を提示する。なお、本発明に対する説明の便宜のために、定義している固体の名称を同様に使用することができる。しかし、説明の便宜上、使用される名称が本発明による権利を限定するわけではなく、類似する技術的背景を有するシステムに対して同一または容易な変更によって適用が可能であることは勿論である。
【００３２】
同様の理由から、添付の図面において一部の構成要素は誇張されたり省略されたり、または概略的に示されており、各構成要素の寸法は実際の寸法をそのまま反映するものではない。よって、本開示は添付の図面に描かれた相対的な寸法や間隔によって制限されない。
【００３３】
なお、本発明に使用された単数形は、文脈上明確に指摘しない以上、複数形も含むものとして意図されたものである。なお、本明細書で使用された“及び”という用語は列挙された関連アイテムのうち、１つ以上のアイテムの可能な全て組み合わせを指し示し、含むものとして理解されたい。
【００３４】
なお、本明細書に記載された“〜部”、“〜モジュール”等の用語は少なくとも１つの機能や動作を処理する単位を意味し、それはハードウェアまたはソフトウェアで実現されたり、ハードウェアとソフトウェアとの組み合わせで実現されてよい。
【００３５】
以下において、添付の図を参照して本発明について説明する。
【００３６】
図１は、本発明の一実施形態に係る通信システムの構成を示す図である。
【００３７】
一実施形態に係る通信システム１０は、図１に示すように、第１ディスプレイ装置１０１、第２ディスプレイ装置１０２及びモバイル装置１０３で構成されてよい。
【００３８】
第１及び第２ディスプレイ装置１０１、１０２は、外部の映像供給源（図示せず）から提供される映像信号をディスプレイ部１２０に映像で表示できるように予め設定された映像処理プロセスによって処理することができる。
【００３９】
一実施形態においては、第１及び第２ディスプレイ装置１０１、１０２が放送局の送出装備から受信される放送信号／放送情報／放送データに基づいた放送映像を表示するテレビで実現された場合を例として挙げる。しかし、第１及び第２ディスプレイ装置１０１、１０２は表示可能な映像の種類が放送映像に限定されないため、例えば、第１及び第２ディスプレイ装置１０１、１０２は多様な形式の映像供給源から受信される信号／データに基づいた動画、静止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのユーザインターフェース（ＵＩ：Ｕｓｅｒ  Ｉｎｔｅｒｆａｃｅ）等の映像を表示することができる。
【００４０】
一実施形態によると、第１及び第２ディスプレイ装置１０１、１０２は、スマートテレビで実現されてよい。スマートテレビは、リアルタイムで放送信号を受信して表示することができ、ウェブブラウザ機能を有しており、リアルタイム放送信号の表示と同時にインターネットを通じて多様なコンテンツ検索及び消費が可能であり、そのために、便利なユーザ環境を提供することができる。なお、スマートテレビが開放型ソフトウェアフラットフォームを含んでおり、ユーザに双方向サービスを提供することができる場合、スマートテレビは開放型ソフトウェアフラットフォームを通じて多様なコンテンツ、例えば、所定のサービスを提供するアプリケーションをユーザに提供することができる。このようなアプリケーションは、多様な種類のサービスを提供することができる応用プログラムとして、例えば、ＳＮＳ、金融、ニュース、天気、マップ、音楽、映画、ゲーム、電子書籍等のサービスを提供するアプリケーションを含むことができる。
【００４１】
一方、本発明の思想は、本実施形態と異なる第１及び第２ディスプレイ装置１０１、１０２、例えば、第１及び第２ディスプレイ装置１０１、１０２がコンピュータ本体に接続されたモニタ等である場合にも適用されてよい。
【００４２】
モバイル装置１０３は、例えば、スマートフォンを含む携帯電話、タブレット（スマートパッド）、携帯用メディアプレーヤ（ＭＰ３プレーヤ）、デジタルカメラ、カムコーダ等を含むデジタル機器等であってよい。一実施形態のモバイル装置は、所定位置、例えば、前面及び／または背面の上部にイメージセンサ１４１を含む映像獲得部１４０、すなわち、カメラを含むことができる。図１においては、モバイル装置がスマートフォンで実現されたケースを例に挙げて示しているが、本発明はそれに限定されない。
【００４３】
本実施形態に係る通信システムは、相互間で通信接続が可能であり、ここで、第１及び第２ディスプレイ装置１０１、１０２及びモバイル装置１０３のうちの１つはホストであって、他の少なくとも１つの機器はクライアントとして動作することができる。
【００４４】
図２は、本発明の別の実施形態に係る通信システムの構成を示す図である。
【００４５】
一実施形態に係るシステムは、図２に示すように、第１ディスプレイ装置１０１、第２ディスプレイ装置１０２で構成されてよい。
【００４６】
第１及び第２ディスプレイ装置１０１、１０２の所定の位置（例えば、前面の上部）にイメージセンサ１４１を含む映像獲得部１４０、すなわち、カメラを含むことができる。
【００４７】
一実施形態によると、第１及び第２ディスプレイ装置１０１、１０２は、一定の角度以内で対向していてよい。例えば、第１及び第２ディスプレイ装置１０１、１０２は、第１及び第２ディスプレイ装置１０１、１０２のそれぞれに含まれたカメラが相互の映像を獲得することができるように対向していてよい。ここで、一定の角度は、例えば、０°以上１８０°未満の値を有してよい。
【００４８】
第１及び第２ディスプレイ装置１０１、１０２は、図１を参照して説明したように、放送映像を表示するテレビ、アプリケーションを提供するスマートテレビだけではなく、コンピュータの本体に接続されたモニタ等にも適用されてよい。
【００４９】
本実施形態に係る通信システムは、相互間で通信接続が可能であり、ここで、第１及び第２ディスプレイ装置１０１、１０２のうちの一方はホストであり、他方の機器はクライアントとして動作することができる。
【００５０】
以下、ディスプレイ装置またはモバイル装置で実現可能な一実施形態に係る電子装置１００の具体的な構成を図２を参照して説明する。
【００５１】
図３は、本発明の一実施形態に係る電子装置１００の構成を示すブロック図であり、図３に示す電子装置１００の構成は、図１及び図２の第１及び第２ディスプレイ装置１０１、１０２及びモバイル装置１０３に全て適用されてよい。
【００５２】
図３に示すように、一実施形態に係る電子装置１００は、外部から受信された映像信号を処理する映像処理部１１０と、映像処理部１１０によって処理される映像信号を映像として表示するディスプレイ部１２０と、ユーザの入力を受信するユーザ入力部１３０と、外部から映像を獲得する映像獲得部１４０と、各種データが保存される保存部１５０と、外部と有無線通信を行う通信部１６０と、電子装置１００を制御する制御部１７０とを含む。
【００５３】
映像処理部１１０は、映像信号に対して予め設定された多様な映像処理プロセスを行うことができる。映像処理部１１０は、このようなプロセスを行う映像信号をディスプレイ部１２０に出力することにより、ディスプレイ部１２０に映像が表示されるようにすることができる。
【００５４】
そのために、映像処理部１１０は、外部から映像信号を受信する映像受信部（図示せず）を含むことができる。受信する映像信号の規格及び電子装置１００の実現形態に対応して多様な方式で実現されてよい。例えば、映像処理部１１０は、放送局（図示せず）から送出されるＲＦ（ｒａｄｉｏ  ｆｒｅｑｕｅｎｃｙ）信号を無線で受信したり、コンポジット（ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）規格等による映像信号を有線で受信することができる。映像処理部１１０は、映像信号が放送信号である場合、この放送信号をチャネル別にチューニングするチューナ（ｔｕｎｅｒ）を含むことができる。
【００５５】
なお、映像信号は外部機器から入力されてよく、例えば、映像信号はパソコン、ＡＶ機器、スマートフォン、スマートパッド等のような外部機器から入力されてよい。なお、映像信号は、インターネット等のようなネットワークを通じて受信されるデータからもたらしたものであってよい。この場合、電子装置１００は、通信部１６０を介してネットワーク通信を行うことができる。なお、映像信号はフラッシュメモリ、ハードディスク等のような非揮発性の保存部１５０に保存されたデータからもたらしたものであってよい。保存部１５０は、電子装置１００の内部または外部に設けられてよく、外部に設けられる場合、保存部１５０が接続される接続部（図示せず）を更に含んでよい。
【００５６】
映像処理部１１０が行う映像処理プロセスの種類は限定されることなく、例えば、多様な映像フォーマットに対応するデコーディング（ｄｅｃｏｄｉｎｇ）、デインターレーシング（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ軽減（ｎｏｉｓｅ  ｒｅｄｕｃｔｉｏｎ）、ディテール強化（ｄｅｔａｉｌ  ｅｎｈａｎｃｅｍｅｎｔ）、ラインスキャニング（ｌｉｎｅ  ｓｃａｎｎｉｎｇ）のうち、少なくとも１つを含んでよい。映像処理部１１０は、このような各プロセスを独自的に行うことができる個別的な構成のグループで実現されるか、または、様々な機能を統合させたＳｏＣ（Ｓｙｓｔｅｍ−ｏｎ−Ｃｈｉｐ）で実現されてよい。
【００５７】
ディスプレイ部１２０は、映像処理部１１０によって処理される映像信号に基づいて映像を表示する。ディスプレイ部１２０の実現方式は限定されずに、例えば、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、表面伝導型電子エミッタ（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で実現されてよい。
【００５８】
ディスプレイ部１２０は、その実現方式によって付加的な構成を更に含むことができる。例えば、ディスプレイ部１２０が液晶方式の場合、ディスプレイ部１２０は液晶ディスプレイパネル（図示せず）と、それに光を供給するバックライトユニット（図示せず）と、パネル（図示せず）を駆動させるパネル駆動基板（図示せず）を含んでよい。
【００５９】
本実施形態のディスプレイ部１２０は、ユーザのタッチによる入力が受信されるタッチスクリーン（ｔｏｕｃｈ  ｓｃｒｅｅｎ）１２１を含んでよい。タッチスクリーン１２１は、例えば、抵抗膜（ｒｅｓｉｓｔｉｖｅ）方式、静電容量（ｃａｐａｃｉｔｉｖｅ）方式、赤外線（ｉｎｆｒａｒｅｄ）方式または超音波（ａｃｏｕｓｔｉｃ  ｗａｖｅ）方式で実現されてよい。
【００６０】
タッチスクリーン１２１は、ユーザインターフェース（ＵＩ）としてディスプレイ装置１００のメニュー項目を含むオブジェクト（ｏｂｊｅｃｔ、例えば、メニュー、テキスト、イメージ、ビデオ、図形、アイコン及び短縮アイコン）を表示することができる。ユーザは、タッチスクリーン１２１に表示されたオブジェクトをユーザの身体（例えば、指先）またはスタイラスペンのような別途のポインティングデバイスでタッチし、ユーザ入力を行うことができる。
【００６１】
タッチスクリーン１２１は、ユーザに多様なサービス（例えば、通話、データ伝送、放送、写真撮影、動画、またはアプリケーション）に対応するＧＵＩ(Ｇｒａｐｈｉｃａｌ  Ｕｓｅｒ  Ｉｎｔｅｒｆａｃｅ)を提供することができる。タッチスクリーン１２１は、ＧＵＩを介して入力されるシングルタッチまたはマルチタッチに対応するアナログ信号を制御部１７０に伝送することができる。
【００６２】
一実施形態において、タッチはタッチスクリーン１２１とユーザの身体またはタッチ可能なポインティングデバイスの接触に限定されず、非接触（例えば、タッチスクリーン１２１とユーザの身体またはタッチスクリーン１２１とポインティングデバイスとの検出可能な間隔が３０ｍｍ以下のホバリング（ｈｏｖｅｒｉｎｇ））を含むことができる。タッチスクリーン１２１から検出可能な非接触間隔は、電子装置１００の性能または構造によって変更され得ることは、当該技術分野において通常の知識を有する者に容易に理解されるだろう。
【００６３】
一実施形態において、タッチ入力はドラッグ（ｄｒａｇ）、フリック（ｆｌｉｃｋ）、ドラッグアンドドロップ（ｄｒａｇ  ＆  ｄｒｏｐ）、タップ（ｔａｐ）、ロングタップ（ｌｏｎｇ  ｔａｐ）のうち少なくとも１つを含んでよい。
【００６４】
一実施形態のディスプレイ部１２０には、通信部１６０がサポートする通信インターフェース情報が表示される。制御部１７０は、保存部１５０に保存された通信部１６０の通信インターフェース情報を照会してディスプレイ部１２０に表示するように制御することができる。
【００６５】
ユーザ入力部１３０は、ユーザの操作及び入力によって、予め設定された多様な制御コマンドまたは限定されない情報を制御部１７０に伝達することができる。
【００６６】
一実施形態のユーザ入力部１３０は、電子装置１００の本体に設けられた数字キー、メニューキー等のボタンを含むキーパッド（または、入力パネル）（図示せず）と、テレビを遠隔で制御できるように予め設定されたコマンド（ｃｏｍｍａｎｄ）／データ／情報／信号を生成して電子装置１００に伝送するリモートコントローラ（ｒｅｍｏｔｅ  ｃｏｎｔｒｏｌｌｅｒ）、キーボード（ｋｅｙｂｏａｒｄ）、マウス等の本体と離隔分離された入力装置を含む。入力装置は、電子装置１００の本体と無線通信が可能な外部装置であり、無線通信は赤外線通信、ＲＦ通信、無線ＬＡＮ等を含む。入力装置は、ユーザによって操作されることで、予め設定されたコマンドを電子装置１００に伝送することができる。
【００６７】
キーパッドは、電子装置１００の前面及び／または側面に形成される物理的なキーパッドと、タッチスクリーン１２１内に表示される仮想のキーパッド及び無線で接続可能な物理的なキーパッドを含んでよい。電子装置１００の前面及び／または側面に形成される物理的なキーパッドは、電子装置１００の性能または構造によって除外され得ることは、当該技術分野の通常の知識を有する者に容易に理解されるだろう。
【００６８】
なお、ユーザ入力部１３０は、リモートコントローラに設けられてユーザのタッチを検知するタッチ検知部（図示せず）及びユーザによる自主的にモーションを検知するモーション検知部（図示せず）等を更に含んでよい。
【００６９】
一実施形態のユーザ入力部１３０は、ユーザから他機器との通信接続要請を受信し、ユーザ入力部１３０は他機器との通信接続要請に対応するように設けられた専用のボタンを含むことができる。
【００７０】
映像獲得部１４０は、外部映像を撮像するカメラで実現されてよい。この場合、カメラは、電子装置１００の所定の位置、例えば、上部に設けられてよいが、設置位置は限定されずに、場合によって電子装置１００の本体と分離されて外部に設けられてよい。
【００７１】
映像獲得部１４０は、映像が透過されるレンズ（図示せず）及びレンズを通じて透過された映像を検知するイメージセンサ１４１を含んでよい。イメージセンサ１４１は、ＣＣＤ／ＣＯＭＳイメージセンサで実現されてよい。
【００７２】
電子装置１００がスマートフォン、タブレット等のモバイル装置で実現される場合、映像獲得部１４０は、制御部１７０の制御に応じて、静止イメージまたは動画を撮影する前面の第１カメラ及び背面の第２カメラのうち少なくとも一方を含んでよい。映像獲得部１４０は、第１カメラと第２カメラのうち一方または両方を全て含んでよい。なお、第１カメラまたは第２カメラは、撮影に必要な光量を提供するサブ光源（例えば、フラッシュ）を更に含んでよい。
【００７３】
一実施形態の映像獲得部１４０は、他機器のディスプレイ部に表示された映像を撮影し、他機器でサポートされる通信インターフェース情報を読み取ることができる。
【００７４】
映像獲得部１４０を介して入力された映像は、映像処理部１１０で処理されてよい。制御部１７０は、映像処理部１１０で処理された映像から後述の他機器の通信インターフェース情報を抽出することができる。制御部１７０は、抽出された通信インターフェース情報を用いて他機器との通信接続を設定することができる。
【００７５】
保存部１５０は、制御部１７０の制御によって限定されないデータが保存されてよい。保存部１５０は、非揮発性メモリ、揮発性メモリ、フラッシュメモリ（ｆｌａｓｈ−ｍｅｍｏｒｙ）、ハードディスクドライブ（ＨＤＤ）またはソリッドステートドライブ（ＳＳＤ）を含んでよい。保存部１５０は、制御部１７０によってアクセスされ、制御部１７０によるデータの読み取り／記録／修正／削除／更新等が行われてよい。
【００７６】
保存部１５０に保存されるデータは、例えば、電子装置１００の駆動のための運営体制を始め、この運営体制上で実行可能な多様なアプリケーション、映像データ、付加データ等を含む。
【００７７】
具体的に、保存部１５０は、制御部１７０の制御により、各構成要素の動作に対応するように、入／出力される信号またはデータを保存することができる。保存部１５０は、電子装置１００の制御のための制御プログラムと製造メーカーで提供されたり、外部からダウンロードされたアプリケーションに関連するＧＵＩ（Ｇｒａｐｈｉｃａｌ  Ｕｓｅｒ  Ｉｎｔｅｒｆａｃｅ）、ＧＵＩを提供するためのイメージ、ユーザ情報、文書、データベースまたは関連データを保存することができる。
【００７８】
保存部１５０には、タッチスクリーン１２１に対するユーザ入力を検知するための座標情報を含む多様な情報が更に保存される。例えば、制御部１７０は、タッチスクリーン１２１に対するユーザのタッチを検知すると、保存部５０に予め保存された情報を用いて検知されたタッチ入力の種類を識別し、タッチ位置に対応する座標情報（Ｘ及びＹ座標）を算出し、算出された座標情報を映像処理部１１０に伝達することができる。そして、識別されたタッチ入力の種類及びタッチ位置に対応する映像が映像処理部１１０によってディスプレイ部１２０に表示されてよい。
【００７９】
一実施形態において、保存部１５０には通信部１６０でサポートされる通信インターフェース情報（または、ネットワークインターフェース情報）が更に保存されてよい。ここで、保存部１５０は、通信部１６０のサポートする通信インターフェース情報を予め保存しているか、または、ユーザからの機器間の接続要請に応答して使用可能な通信インターフェースを照会または探索し、その結果に対応する情報を保存するように実現されてよい。
【００８０】
本発明の実施形態において、保存部とは用語は、保存部１５０、制御部１７０内のＲＯＭ（図示せず）、ＲＡＭ（図示せず）または電子装置１００に装着されたメモリカード（図示せず）（例えば、ｍｉｃｒｏ  ＳＤカード、メモリスティック）を含んでよい。
【００８１】
通信部１６０は、他機器と通信を行うことができる。一実施形態の通信部１６０は、Ｗｉ−Ｆｉ、ブルートゥース（Ｂｌｕｅｔｏｏｔｈ（登録商標））、ＲＦ（Ｒａｄｉｏ  Ｆｒｅｑｕｅｎｃｙ）、Ｚｉｇｂｅｅ（登録商標）、無線ＬＡＮ（Ｗｉｒｅｌｅｓｓ  ＬＡＮ）、赤外線通信、ＵＷＢ（Ｕｌｔｒａ  Ｗｉｄｅｂａｎｄ）及びＮＦＣ（Ｎｅａｒ  Ｆｉｅｌｄ  Ｃｏｍｍｕｎｉｃａｔｉｏｎ）等の通信インターフェース１ないしＮのうち、少なくとも１つをサポートすることができる。
【００８２】
一実施形態の通信部１６０は、電子装置１００がスマートフォンのような携帯電話の場合、移動通信部（図示せず）を更に含むことができる。移動通信部は、電子装置１００と接続可能な電話番号を有する携帯電話、スマートフォン、タブレット等と、音声通話、テレビ電話、テキストメッセージ（ＳＭＳ）、マルチメディアメッセージ（ＭＭＳ）及びデータ通信のための無線信号を送／受信することができる。なお、一実施形態の通信部１６０は、少なくとも１つの有線通信インターフェースを更に含んでよい。
【００８３】
通信部１６０は、一実施形態によると、電子装置１００の本体に内蔵されるが、ドングル（ｄｏｎｇｌｅ）またはモジュール（ｍｏｄｕｌｅ）の形態で実現され、電子装置１００のコネクタ（図示せず）に着脱されてよい。
【００８４】
制御部１７０は、電子装置１００の多様な構成に対する制御動作を行うことができる。例えば、制御部１７０は、映像処理部１１０が処理する映像処理プロセスの進行、ユーザ入力部１３０からのコマンドに対する対応制御動作、タッチスクリーン１２１に対するユーザタッチに対応する操作位置を検知し、検知された操作位置に対応する仮想ポイント（Ｘ及びＹ座標）を設定及びユーザタッチに対応する動作を行うことで、電子装置１００の全動作を制御することができる。制御部１７０は、例えば、ＣＰＵにソフトウェアが結合された形態で実現されてよい。
【００８５】
制御部１７０は、電子装置１００の動作全般及び電子装置１００の内部の構成要素１１０ないし１６０間の信号の流れを制御し、データを処理する機能を行うことができる。制御部１７０は、電源供給部（図示せず）から内部の構成要素１１０ないし１６０への電源供給を制御することができる。なお、ユーザの入力または設定されて保存された条件を満たす場合、制御部１７０は保存部１５０に保存されたＯＳ（Ｏｐｅｒａｔｉｏｎ  Ｓｙｓｔｅｍ）及び多様なアプリケーションを実行することができる。
【００８６】
一実施形態に係る電子装置１００の制御部１７０は、他機器との通信接続に対するユーザ操作  に応答し、電子装置１００の通信部１６０がサポートする通信インターフェース情報を表示するようにディスプレイ部１２０を制御することができる。ここで、通信部１６０がサポートする通信インターフェース情報は保存部１５０に予め保存され、文字やＱＲコード（登録商標）（Ｑｕｉｃｋ  Ｒｅｓｐｏｎｓｅ  Ｃｏｄｅ）、バーコード（ｂａｒｃｏｄｅ）等の多様な形式でディスプレイ部１２０に表示されてよい。
【００８７】
なお、制御部１７０は、他機器との通信接続に対するユーザ操作に応答し、映像獲得部１４０を活性化させ、イメージセンサ１４１を介して検知された他機器の通信インターフェース情報を受信することができる。そして、制御部１７０は、入力された他機器の通信インターフェース情報を分析し、分析された他危機の通信インターフェース情報と当該装置１００のサポートする通信インターフェース情報とを比較し、通信接続に使用する通信インターフェースを決定し、決定された通信インターフェースに基づいて他機器との通信接続を設定することができる。
【００８８】
ここで、制御部１７０は、電子装置１００と他機器とが両方共通してサポートする通信インターフェースによって通信接続を設定することができる。制御部１７０は、両機器で共通してサポートされる通信インターフェースが複数の場合、最適のインターフェースを選択するようになり、例えば、システム環境、予め設定された優先順位、ユーザの設定のうち少なくとも１つによっていずれか１つを最適の通信インターフェースを選択することができる。
【００８９】
本実施形態に係る通信システムの複数の電子装置１００は、通信接続時にいずれか１つがホスト（ｈｏｓｔ）であって、他の１つがクライアント（ｃｌｉｅｎｔ）として動作することができる。
【００９０】
以下、上述の図１及び図２の通信システムにおける電子装置１００間の接続制御方法について、図４ないし図６を参照して説明する。
【００９１】
図４は、本発明の一実施形態に係る図１の通信システムの接続制御方法を示すフローチャートである。
【００９２】
図４を参照すると、モバイル装置１０３は、ユーザから第１及び第２ディスプレイ装置１０１、１０２間で画質をマッチングする要請を受信することができる（Ｓ４０１）。例えば、ユーザはモバイル装置１０３のユーザ入力部１３０またはタッチスクリーン１２１を操作し、画質をマッチングするアプリケーションを実行し、アプリケーションが提供するメニューを用いて第１及び第２ディスプレイ装置１０１、１０２間で画質のマッチングを要請することができる。
【００９３】
ステップＳ４０１において、ユーザの画質のマッチング要請に対応し、モバイル装置１０３の制御部１７０は、モバイル装置１０３の映像獲得部１４０、すなわちカメラを活性化させることができる（Ｓ４０３）。
【００９４】
このとき、第１ディスプレイ装置１０１のディスプレイ部１２０は第１映像を表示中であり（Ｓ４１１）、第２ディスプレイ装置１０２のディスプレイ部１２０は第２映像を表示中であってよい（Ｓ４３１）。ここで、第１映像と第２映像とを相互同一の映像であってよい。例えば、第１映像と第２映像とは同一のソースで提供された同一のイメージであってよい。
【００９５】
ステップＳ４０３において、カメラが活性化された場合、モバイル装置１０３の映像獲得部１４０は第１ディスプレイ装置１０１に表示中の第１映像及び第２ディスプレイ装置１０２に表示中の第２映像をそれぞれ獲得することができる（Ｓ４０５）。モバイル装置１０３の映像獲得部１４０が第１映像及び第２映像を獲得することは、ユーザの操作によって第１映像及び第２映像が撮影されてモバイル装置１０３の保存部１５０に保存されること、または、ユーザの撮影操作がなくとも映像獲得部１４０を介して入力された第１映像及び第２映像が一時的に保存されて、モバイル装置１０３のディスプレイ部１２０を介して表示されることを含んでよい。
【００９６】
ステップＳ４０５において、第１映像及び第２映像をそれぞれ獲得した場合、モバイル装置１０３の制御部１７０は、第１映像及び第２映像を相互比較することができる（Ｓ４０７）。比較の結果として、第１映像及び第２映像の画質の差が一定値以下と判断される場合（Ｓ４０８）、モバイル装置１０３の制御部１７０は、第１ディスプレイ装置１０１または第２ディスプレイ装置１０２の画質補正過程を終了することができる（Ｓ４１１）。一方、第１映像及び第２映像の画質の差が一定値以上と判断される場合（Ｓ４０８）、モバイル装置１０３の制御部１７０は、第１ディスプレイ装置１０１または第２ディスプレイ装置１２０の画質補正値を決定することができる（Ｓ４０９）。
【００９７】
一実施形態において、モバイル装置１０３の制御部１７０は、第１映像で第１ディスプレイ装置１０１のディスプレイ部１２０領域及び第２映像で第２ディスプレイ装置１０２のディスプレイ部１２０領域をそれぞれ抽出することができる。このとき、第１及び第２ディスプレイ装置１０１、１０２のそれぞれのディスプレイ部１２０領域を抽出する方式は、例えば、モバイル装置１０３の制御部１７０が、第１映像及び第２映像から第１及び第２ディスプレイ装置１０１、１０２のフレームを認識してフレームの内側をディスプレイ部１２０領域として決定するか、または、第１映像及び第２映像の輝度を認識して相対的に明るい領域をディスプレイ部１２０領域として決定することができる。以下、第１映像は、第１ディスプレイ装置１０１のディスプレイ部１２０領域を示し、第２映像は、第２ディスプレイ装置１０２のディスプレイ部１２０領域を示すものとして仮定して説明する。
【００９８】
モバイル装置１０３の制御部１７０は、第１映像及び第２映像の領域の所定の位置でピクセル値を獲得することができる。
【００９９】
図７は、本発明の一実施形態に係るモバイル装置１０３が第１映像及び第２映像から獲得するピクセル値の位置を示す図である。
【０１００】
図７を参照すると、モバイル装置１０３の制御部１７０は、例えば、第１映像及び第２映像のそれぞれで横、縦それぞれの所定の大きさだけ等分して交差する位置におけるピクセル値を獲得することができる。図７において、モバイル装置１０３の制御部１７０は、横、縦それぞれ３及び４等分して交差する位置におけるピクセル値７０１ないし７１５を獲得することができる。
【０１０１】
第１映像及び第２映像それぞれにおいて、ピクセル値７０１ないし７１５が獲得された場合、モバイル装置１０３の制御部１７０は、第１映像から獲得されたピクセル値のＲ（Ｒｅｄ）、Ｇ（Ｇｒｅｅｎ）、Ｂ（Ｂｌｕｅ）色相の平均値及び第２映像から獲得されたピクセル値のＲ、Ｇ、Ｂ色相の平均値をそれぞれ求めることができる。ここで、Ｒ、Ｇ、Ｂ色相の平均値の範囲は、ＲＧＢ色相コードに応じて０から２５５までのうち１つの値であってよい。モバイル装置１０３の制御部１７０は、第１映像から獲得されたＲ、Ｇ、Ｂ色相の平均値及び第２映像から獲得されたＲ、Ｇ、Ｂ色相の平均値を相互比較し、平均値の差を計算することができる。ここで、モバイル装置１０３の制御部１７０がＲ、Ｇ、Ｂ色相の平均値を相互比較することは一例であり、モバイル装置１０３の制御部１７０は、Ｒ、Ｇ、Ｂ色相の中央値（ｍｅｄｉａｎ）または、Ｒ、Ｇ、Ｂ色相の最頻値（ｍｏｄｅ）等を利用することができる。モバイル装置１０３の制御部１７０は、第１映像のＲ、Ｇ、Ｂ色相の平均値及び第２映像のＲ、Ｇ、Ｂ色相の平均値の差に基づいて、第１ディスプレイ装置１０１または第２ディスプレイ装置１０２の画質補正値を決定することができる。本発明の実施形態においては、モバイル装置１０３の制御部１７０が第１映像のピクセル値でＲ、Ｇ、Ｂ色相値に基づいて画質補正値を決定する例を主に説明するが、本技術分野の当業者なら、本発明の実施形態によって、色相値の他に明るさ、輝度等多様なピクセル情報を用いて画質補正値を決定することができる。
【０１０２】
図８Ａないし図８Ｄは、本発明の一実施形態に係る第１または第２ディスプレイ装置１０１、１０２の画質補正値が決定されるテーブルを示す。
【０１０３】
図８Ａは、一実施形態に係る第１ディスプレイ装置１０１の画質補正値が決定されるテーブル８１０を示す。
【０１０４】
図８Ａを参照すると、テーブル８１０はＲ色相の平均値の差フィールド８１１及び第１ディスプレイ装置１０１のＲ色相の画質補正値フィールド８１２を含む。フィールド８１１は、第１映像のＲ色相の平均値から第２映像のＲ色相の平均値を引いた値を示し、フィールド８１２は第１ディスプレイ装置１０１のＲ色相の画質補正値を示す。ここで、第１ディスプレイ装置１０１のＲ色相の画質補正値の範囲は、例えば、０から１００までであり、Ｒ色相の最初のオフセット値は５０と仮定することができる。この場合、Ｒ、Ｇ、Ｂ色相の画質補正値の範囲は、ユーザ入力部１３０を介してユーザが電子装置１００の本体に設けられたメニューキーまたはリモートコントローラのボタン等を用いて調整することができる範囲と同一であってよい。
【０１０５】
図８Ａにおいて、Ｒ色相の平均値の差フィールド８１１に対応する画質補正値フィールド８１２は、Ｒ色相の平均値の差に応じて相互異なる値を有してよい。
【０１０６】
一実施形態において、テーブル８１０のフィールド８１４を参照すると、第１映像及び第２映像を相互比較した結果として、第１映像のＲ色相の平均値から第２映像のＲ色相の平均値を引いた値が「−５０」より小さいか同じである場合、第１ディスプレイ装置１０１のＲ色相の画質補正値は「＋２０」に決定されてよい。なお、テーブル８１０のフィールド８１５を参照すると、第１映像のＲ色相の平均値から第２映像のＲ色相の平均値を引いた値が「−５０」より大きく、「−４０」より小さいか同じである場合、第１ディスプレイ装置１０１のＲ色相の画質補正値は「＋１６」に決定されてよい。それと類似するように、テーブル８１０のフィールド８１６ないしフィールド８２４にも、Ｒ色相の平均値の差に応じて、第１ディスプレイ装置１０１のＲ色相の画質補正値が決定されてよい。一方、テーブル８１０のフィールド８１９のように、第１映像及び第２映像のＲ色相の平均値の差が「−１０」より大きく「＋１０」より小さい場合、第１ディスプレイ装置１０１のＲ色相の画質補正は終了してよい。
【０１０７】
図８Ｂは、一実施形態に係る第１ディスプレイ装置１０１及び第２ディスプレイ装置１０２の画質補正値が決定されるテーブル８３０を示す。
【０１０８】
図８Ｂを参照すると、テーブル８３０はＲ色相の平均値の差フィールド８３１、第１ディスプレイ装置１０１のＲ色相の画質補正値フィールド８３２及び第２ディスプレイ装置１０２のＲ色相の画質補正値フィールド８３３を含む。フィールド８３１は、第１映像のＲ色相の平均値から第２映像のＲ色相の平均値を引いた値を示し、なお、フィールド８３２は、第１ディスプレイ装置１０１のＲ色相の画質補正値を示し、フィールド８３３は、第２ディスプレイ装置１０２のＲ色相の画質補正値を示す。ここで、第１及び第２ディスプレイ装置１０１、１０２のＲ色相の画質補正値の範囲は、例えば、０から１００までであり、Ｒ色相の最初のオフセット値は５０と仮定することができる。
【０１０９】
図８Ｂにおいて、Ｒ色相の平均値の差フィールド８３１に対応する画質補正値フィールド８３２、８３３は、Ｒ色相の平均値の差に応じて相互異なる値を有してよい。
【０１１０】
一実施形態において、テーブル８３０のフィールド８３４を参照すると、第１映像及び第２映像を相互比較した結果として、第１映像のＲ色相の平均値から第２映像のＲ色相の平均値を引いた値が「−５０」より小さいか同じである場合、第１ディスプレイ装置１０１のＲ色相の画質補正値は「＋１０」に決定され、第２ディスプレイ装置１０２のＲ色相の画質補正値は「−１０」に決定されてよい。なお、テーブル８３０のフィールド８３５を参照すると、第１映像のＲ色相の平均値から第２映像のＲ色相の平均値を引いた値が「−５０」より大きく、「−４０」より小さいか同じである場合、第１ディスプレイ装置１０１のＲ色相の画質補正値は「＋８」に決定され、第２ディスプレイ装置１０２のＲ色相の画質補正値は「−８」に決定されてよい。それと類似するように、テーブル８１０のフィールド８３６ないしフィールド８４４にも、Ｒ色相の平均値の差に応じて、第１及び第２ディスプレイ装置１０１、１０２のＲ色相の画質補正値が決定されてよい。一方、テーブル８３０のフィールド８３９のように、第１映像及び第２映像のＲ色相の平均値の差が「−１０」より大きく「＋１０」より小さい場合、第１及び第２ディスプレイ装置１０１、１０２のＲ色相の画質補正は終了してよい。
【０１１１】
図８Ｃは、別の実施形態に係る第１ディスプレイ装置１０１の画質補正値が決定されるテーブル８５０を示す。
【０１１２】
図８Ｃを参照すると、テーブル８５０はＲ色相の平均値の差フィールド８５１及び第１ディスプレイ装置１０１のＲ色相の画質補正値フィールド８５２を含む。フィールド８５１は、第１映像のＲ色相の平均値から第２映像のＲ色相の平均値を引いた値を示し、フィールド８５２は、第１ディスプレイ装置１０１のＲ色相の画質補正値を示す。ここで、第１ディスプレイ装置１０１のＲ色相の画質補正値の範囲は、例えば、０から１００までであり、Ｒ色相の最初のオフセット値は５０と仮定することができる。
【０１１３】
テーブル８５０のフィールド８５４を参照すると、第１映像及び第２映像を相互比較した結果として、第１映像のＲ色相の平均値から第２映像のＲ色相の平均値を引いた値が「−１０」より小さいか同じである場合、第１ディスプレイ装置１０１のＲ色相の画質補正値は「＋４」に決定されてよい。なお、テーブル８５０のフィールド８５５を参照すると、第１映像のＲ色相の平均値から第２映像のＲ色相の平均値を引いた値が「＋１０」より大きいか同じである場合、第１ディスプレイ装置１０１のＲ色相の画質補正値は「＋４」に決定されてよい。一方、テーブル８５０のフィールド８５６のように、第１映像及び第２映像のＲ色相の平均値の差が「−１０」より大きく「＋１０」より小さい場合、第１ディスプレイ装置１０１のＲ色相の画質補正は終了してよい。
【０１１４】
図８Ｄは、別の実施形態に係る第１及び第２ディスプレイ装置１０１、１０２の画質補正値が決定されるテーブル８７０を示す。
【０１１５】
図８Ｄを参照すると、テーブル８７０はＲ色相の平均値の差フィールド８７１、第１ディスプレイ装置１０１のＲ色相の画質補正値フィールド８７２及び第２ディスプレイ装置１０２のＲ色相の画質補正値フィールド８７３を含む。フィールド８７１は、第１映像のＲ色相の平均値から第２映像のＲ色相の平均値を引いた値を示し、なお、フィールド８７２は、第１ディスプレイ装置１０１のＲ色相の画質補正値を示し、フィールド８７３は、第２ディスプレイ装置１０２のＲ色相の画質補正値を示す。ここで、第１及び第２ディスプレイ装置１０１、１０２のＲ色相の画質補正値の範囲は、例えば、０から１００までであり、Ｒ色相の最初のオフセット値は５０と仮定することができる。
【０１１６】
図８Ｄにおいて、Ｒ色相の平均値の差フィールド８７１に対応する画質補正値フィールド８７２、８７３は、Ｒ色相の平均値の差に応じて相互異なる値を有してよい。
【０１１７】
一実施形態において、テーブル８７０のフィールド８７４を参照すると、第１映像及び第２映像を相互比較した結果として、第１映像のＲ色相の平均値から第２映像のＲ色相の平均値を引いた値が「−１０」より小さいか同じである場合、第１ディスプレイ装置１０１のＲ色相の画質補正値は「＋２」に決定され、第２ディスプレイ装置１０２のＲ色相の画質補正値は「−２」に決定されてよい。なお、テーブル８７０のフィールド８７５を参照すると、第１映像のＲ色相の平均値から第２映像のＲ色相の平均値を引いた値が「＋１０」より大きいか同じである場合、第１ディスプレイ装置１０１のＲ色相の画質補正値は「−２」に決定され、第２ディスプレイ装置１０２のＲ色相の画質補正値は「＋２」に決定されてよい。一方、テーブル８７０のフィールド８７６のように、第１映像及び第２映像のＲ色相の平均値の差が「−１０」より大きく「＋１０」より小さい場合、第１及び第２ディスプレイ装置１０１、１０２のＲ色相の画質補正は終了してよい。
【０１１８】
ステップＳ４０９において、第１ディスプレイ装置１０１または第２ディスプレイ装置１０２の画質補正値が決定された場合、モバイル装置１０３の通信部１６０は、第１ディスプレイ装置１０１の画質補正値を第１ディスプレイ装置１０１に伝送することができる（Ｓ４１０）。または、モバイル装置１０３の通信部１６０は、第２ディスプレイ装置１０２の画質補正値を第２ディスプレイ装置１０２に伝送することができる（Ｓ４１０）。または、モバイル装置１０３の通信部１６０は、第１ディスプレイ装置１０１の画質補正値を第１ディスプレイ装置１０１に伝送し、第２ディスプレイ装置１０２の画質補正値を第２ディスプレイ装置１０２に伝送することができる（Ｓ４１０）。
【０１１９】
一実施形態において、第１ディスプレイ装置１０１の通信部１６０は、第１ディスプレイ装置１０１の画質補正値を受信することができる（Ｓ４２２）。第１ディスプレイ装置１０１の制御部１７０は、受信された画質補正値を適用して第１ディスプレイ装置１０１のディスプレイ部１２０の画質を調整することができる（Ｓ４２３）。画質調整の結果として、第１ディスプレイ装置１０１の制御部１７０は、画質補正値の適用された第１映像を第１ディスプレイ装置１０１のディスプレイ部１２０を介して表示することができる（Ｓ４２１）。
【０１２０】
別の実施形態において、第２ディスプレイ装置１０２の通信部１６０は、第２ディスプレイ装置１０２の画質補正値を受信することができる（Ｓ４３２）。第２ディスプレイ装置１０２の制御部１７０は、受信された画質補正値を適用して第２ディスプレイ装置１０２のディスプレイ部１２０の画質を調整することができる（Ｓ４３３）。画質調整の結果として、第２ディスプレイ装置１０２の制御部１７０は、画質補正値の適用された第２映像を第２ディスプレイ装置１０２のディスプレイ部１２０を介して表示することができる（Ｓ４３１）。
【０１２１】
更に別の実施形態において、第１ディスプレイ装置１０１及び第２ディスプレイ装置１０２の両方が画質補正値を受信することができる（Ｓ４２２、Ｓ４３２）。この場合、第１ディスプレイ装置１０１の制御部１７０及び第２ディスプレイ装置１０２の制御部１７０のそれぞれは、受信された画質補正値を適用して第１ディスプレイ装置１０１及び第２ディスプレイ装置１０２のディスプレイ部１２０の画質を調整することができる（Ｓ４２３、Ｓ４３３）。画質調整の結果として、画質補正値の適用された第１映像は、第１ディスプレイ装置１０１のディスプレイ部１２０を介して表示され、（Ｓ４２１）、画質補正値の適用された第２映像は、第２ディスプレイ装置１０２のディスプレイ部１２０を介して表示されてよい（Ｓ４３１）。
【０１２２】
ステップＳ４２１及びステップＳ４３１において、第１ディスプレイ装置１０１または第２ディスプレイ装置１０２が画質補正値の適用された第１映像及び第２映像を再び表示する場合、モバイル装置１０３のカメラは、画質補正値の適用された第１映像及び第２映像を再び獲得することができる（Ｓ４０５）。そして、モバイル装置１０３の制御部１７０は、画質補正値の適用された第１映像及び第２映像の差が一定値以下になるまで、ステップＳ４０５ないしステップＳ４１０を繰り返し行うことができる。すなわち、モバイル装置１０３の制御部１７０は、第１ディスプレイ装置１０１で表示される第１映像の画質及び第２ディスプレイ装置１０２で表示される第２映像の画質が同一または類似するように、ステップＳ４０５ないしステップＳ４１０を繰り返し行うことができる。ここで、第１映像の画質及び第２映像の画質が同一であるとは、例えば、画質補正値の適用された第１映像の獲得されたピクセル値の平均値が、画質補正値の適用された第２映像の獲得されたピクセル値の平均値と同一であるこを示すことができる。なお、第１映像の画質及び第２映像の画質が類似するとは、例えば、画質補正値の適用された第１映像の獲得されたピクセル値の平均値及び画質補正値の適用された第２映像の獲得されたピクセル値の平均値の差が一定値以下であることを示してよい。
【０１２３】
モバイル装置１０３の制御部１７０は、第１映像及び第２映像の差が一定値以下になる場合、第１ディスプレイ装置１０１及び第２ディスプレイ装置１０２の画質補正を終了することができる。モバイル装置１０３の制御部１７０は、ディスプレイ部１２０を介して第１ディスプレイ装置１０１及び第２ディスプレイ装置１０２の映像の画質がマッチングされていることをユーザに報知することができる。
【０１２４】
図５は、本発明の一実施形態に係る図２の通信システムの接続制御方法を示すフローチャートである。
【０１２５】
図５を参照すると、第１ディスプレイ装置１０１は、ユーザから第１及び第２ディスプレイ装置１０１、１０２間で画質をマッチングする要請を受信することができる（Ｓ５０１）。例えば、ユーザは、第１ディスプレイ装置１０１のユーザ入力部１３０を操作し、第１ディスプレイ装置１０１のＯＳＤメニューを実行し、ＯＳＤメニューを通じて第１及び第２ディスプレイ装置１０１、１０２間で画質のマッチングを要請することができる。
【０１２６】
ステップＳ５０１において、ユーザの画質のマッチング要請に対応し、第１ディスプレイ装置１０１の制御部１７０は、第１ディスプレイ装置１０１の映像獲得部１４０、すなわち、カメラを活性化させることができる（Ｓ５０３）。なお、第１ディスプレイ装置１０１の制御部１７０は、第２ディスプレイ装置１０２の映像獲得部１４０、すなわち、カメラの活性を要請する信号を第２ディスプレイ装置１０２に提供することができる。第１ディスプレイ装置１０１からのカメラの活性信号に応答し、第２ディスプレイ装置１０２の制御部１７０は、第１ディスプレイ装置１０１の映像獲得部１４０、すなわち、カメラを活性化させることができる（Ｓ５２３）。
【０１２７】
ステップＳ５０３及びＳ５２３において、第１及び第２ディスプレイ装置１０１、１０２のカメラがそれぞれ活性化される場合、第１ディスプレイ装置１０１は、第１ディスプレイ装置１０１のディスプレイ部１２０を介して第１映像を表示し（Ｓ５０５）、第２ディスプレイ装置１０２は、第２ディスプレイ装置１０２のディスプレイ部１２０を介して第２映像を表示することができる（Ｓ５２５）。この場合、第１及び第２ディスプレイ装置１０１、１０２のカメラのそれぞれが活性化される前に、第１映像及び第２映像が既に表示中であってよい。第１映像と第２映像とは相互同一の映像であってよい。例えば、第１映像と第２映像とは、同一のソースから提供された同一のイメージであってよい。
【０１２８】
ステップＳ５０５及びステップＳ５２５において、第１映像及び第２映像が表示された場合、第１ディスプレイ装置１０１の映像獲得部１４０は、第２ディスプレイ装置１０２に表示中の第２映像を獲得し（Ｓ５０７）、第２ディスプレイ装置１０２の映像獲得部１４０は、第１ディスプレイ装置１０１に表示中の第１映像を獲得することができる（Ｓ５２７）。
【０１２９】
ステップＳ５０７及びステップＳ５２７において、第１及び第２ディスプレイ装置１０１、１０２のそれぞれから第１映像及び第２映像が獲得された場合、第２ディスプレイ装置１０２の通信部１６０は、獲得した第１映像を第１ディスプレイ装置に伝送することができる（Ｓ５２９）。第１ディスプレイ装置１０１の通信部１６０は、第１映像を受信することができる（Ｓ５０９）。
【０１３０】
第１ディスプレイ装置１０１は、受信された第１映像及びステップＳ５０７で獲得した第２映像とを相互比較することができる（Ｓ５１１）。比較の結果、第１映像及び第２映像の画質の差が一定値以下と判断される場合（Ｓ５１３）、第１ディスプレイ装置１０１の制御部１７０は、第１ディスプレイ装置１０１または第２ディスプレイ装置１０２の画質補正過程を終了することができる（Ｓ５１９）。一方、第１映像及び第２映像の画質の差が一定値以上と判断される場合（Ｓ５１３）、第１ディスプレイ装置１０１の制御部１７０は、第１ディスプレイ装置１０１または第２ディスプレイ装置１０２の画質補正値を決定することができる（Ｓ５１５）。第１ディスプレイ装置１０１の制御部１７０は、上述のように、第１映像及び第２映像のそれぞれからピクセル値を獲得し、第１映像及び第２映像のピクセル値の平均値の差に応じて、テーブルを参照して第１ディスプレイ装置１０１及び第２ディスプレイ装置１０２の画質補正値を決定することができる（Ｓ５１５）。このとき、第１映像及び第２映像のそれぞれからピクセル値を獲得する場合、第１ディスプレイ装置１０１の制御部１７０は、第１映像及び第２映像の解像度を考慮してピクセル値を獲得することができる。例えば、第１映像の解像度が第２映像の解像度より高い場合、第１ディスプレイ装置１０１の制御部１７０は、第１映像及び第２映像のそれぞれから、横、縦所定の大きさ分だけ等分して交差する位置におけるピクセル値を獲得する際、第２映像より多くの第２映像のピクセル値を獲得することができる。そして、第１ディスプレイ装置１０１の制御部１７０は、第１映像のピクセルと、第１映像のピクセルに第２映像の複数のピクセルの平均値等と比較することができる。
【０１３１】
ステップＳ５１５において、第１ディスプレイ装置１０１の画質補正値が決定された場合、第１ディスプレイ装置１０１の制御部１７０は、第１ディスプレイ装置は決定された画素値補正値を適用して第１ディスプレイ装置１０１のディスプレイ部１２０の画質を調整することができる（Ｓ５１７）。画質補正の結果として、第１ディスプレイ装置１０１の制御部１７０は、画質補正値の適用された第１映像を第１ディスプレイ装置１０１のディスプレイ部１２０を介して表示することができる（Ｓ５０５）。
【０１３２】
ステップＳ５１５において、第２ディスプレイ装置１０２の画質補正値が決定された場合、第１ディスプレイ装置１０１の通信部１６０は、第２ディスプレイ装置１０２の画質補正値を第２ディスプレイ装置１０２に伝送することができる（Ｓ５１８）。
【０１３３】
第２ディスプレイ装置１０２の通信部１６０は、第２ディスプレイ装置１０２の画質補正値を受信することができる（Ｓ５３１）。第２ディスプレイ装置１０２の制御部１７０は、受信された画質補正値を適用して第２ディスプレイ装置１０２のディスプレイ部１２０の画質を調整することができる（Ｓ５３３）。画質調整の結果として、第２ディスプレイ装置１０２の制御部１７０は、画質補正値の適用された第２映像を第２ディスプレイ装置１０２のディスプレイ部１２０を介して表示することができる（Ｓ５２５）。
【０１３４】
ステップＳ５０５及びステップＳ５２５において、第１ディスプレイ装置１０１または第２ディスプレイ装置１０２が画質補正値の適用された第１映像及び第２映像を再び表示する場合、第１ディスプレイ装置１０１のカメラは、画質補正値の適用された第２映像を再び獲得し、第１ディスプレイ装置１０１の通信部１６０は、第２ディスプレイ装置１０２から画質補正値の適用された第１映像を再び受信することができる。そして、第１ディスプレイ装置１０１の制御部１７０は、画質補正値の適用された第１映像及び第２映像の差が一定値以下になるまで、ステップＳ５０５ないしステップＳ５１８を繰り返し行うことができる。すなわち、第１ディスプレイ装置１０１の制御部１７０は、第１ディスプレイ装置１０１で表示される第１映像の画質及び第２ディスプレイ装置１０２で表示される第２映像の画質が同一または類似するように、ステップＳ５０５ないしステップＳ５１８を繰り返し行うことができる。
【０１３５】
第１ディスプレイ装置１０１の制御部１７０は、第１映像及び第２映像の差が一定値以下になる場合、第１ディスプレイ装置１０１及び第２ディスプレイ装置１０２の画質補正を終了することができる。第１ディスプレイ装置１０１の制御部１７０は、ディスプレイ部１２０を介して第１ディスプレイ装置１０１及び第２ディスプレイ装置１０２の映像の画質がマッチングされたことをユーザに報知することができる。
【０１３６】
図６は、本発明の別の実施形態に係る図１の通信システムの接続制御方法を示すフローチャートである。
【０１３７】
図６を参照すると、第１ディスプレイ装置１０１は、ユーザから第１及び第２ディスプレイ装置１０１、１０２間で画質をマッチングする要請を受信することができる（Ｓ６０１）。例えば、ユーザは、第１ディスプレイ装置１０１のユーザ入力部１３０を操作し、第１ディスプレイ装置１０１のＯＳＤメニューを実行し、ＯＳＤメニューを通じて第１及び第２ディスプレイ装置１０１、１０２間で画質のマッチングを要請することができる。
【０１３８】
ステップＳ６０１において、ユーザの画質のマッチング要請に対応し、第１ディスプレイ装置１０１の制御部１７０は、モバイル装置１０３の映像獲得部１４０、すなわち、カメラの活性を要請する信号をモバイル装置１０３に提供することができる。第１ディスプレイ装置１０１からのカメラの活性信号に応答し、モバイル装置１０３の制御部１７０は、モバイル装置１０３の映像獲得部１４０、すなわち、カメラを活性化させることができる（Ｓ６２１）。このとき、第１ディスプレイ装置１０１は、第１ディスプレイ装置１０１のディスプレイ部１２０を介して第１映像を表示中である（Ｓ６０３）、第２ディスプレイ装置１０２は、第２ディスプレイ１０２のディスプレイ部１２０を介して第２映像を表示中であってよい（Ｓ６４３）。
【０１３９】
ステップＳ６２１においてカメラが活性化された場合、モバイル装置１０３の映像獲得部１４０は、第１ディスプレイ装置１０１に表示中の第１映像及び第２ディスプレイ装置１０２に表示中の第２映像をそれぞれ獲得することができる（Ｓ６２３）。そして、モバイル装置１０３の映像獲得部１４０は、獲得した第１映像及び第２映像を第１ディスプレイ装置１０１に伝送することができる（Ｓ６２５）。第１ディスプレイ装置１０１は、伝送された第１映像及び第２映像を受信することができる（Ｓ６０６）。
【０１４０】
第１ディスプレイ装置１０１は、受信した第１映像及び第２映像を相互比較することができる（Ｓ６０８）。比較の結果、第１映像及び第２映像の画質の差が一定値以下と判断される場合（Ｓ６１０）、第１ディスプレイ装置１０１の制御部１７０は、第１ディスプレイ装置１０１または第２ディスプレイ装置１０２の画質補正過程を終了することができる（Ｓ６１８）。一方、第１映像及び第２映像の画質の差が一定値以上と判断される場合（Ｓ６１０）、第１ディスプレイ装置１０１の制御部１７０は、第１ディスプレイ装置１０１または第２ディスプレイ装置１０２の画質補正値を決定することができる（Ｓ６１２）。第１ディスプレイ装置１０１の制御部１７０は、上述のように、第１映像及び第２映像のそれぞれからピクセル値を獲得し、第１映像及び第２映像のピクセル値の平均値の差に応じて、テーブルを参照して第１ディスプレイ装置１０１及び第２ディスプレイ装置１０２の画質補正値を決定することができる（Ｓ６１２）。
【０１４１】
ステップＳ６１２において、第１ディスプレイ装置１０１の画質補正値が決定された場合、第１ディスプレイ装置１０１の制御部１７０は、第１ディスプレイ装置は決定された画質補正値を適用して第１ディスプレイ装置１０１のディスプレイ部１２０の画質を調整することができる（Ｓ６１４）。画質調整の結果として、第１ディスプレイ装置１０１の制御部１７０は、画質補正値の適用された第１映像を第１ディスプレイ装置１０１のディスプレイ部１２０を介して表示することができる（Ｓ６０３）。
【０１４２】
ステップＳ６１２において、第２ディスプレイ装置１０２の画質補正値が決定された場合、第１ディスプレイ装置１０１の通信部１６０は、第２ディスプレイ装置１０２の画質補正値をモバイル装置１０３または第２ディスプレイ装置１０２に伝送することができる（Ｓ６１６）。モバイル装置１０３の通信部１６０が画質補正値を受信した場合（Ｓ６２７）、モバイル装置１０３の制御部１７０は画質マッチング過程が終了していないと判断し、モバイル装置１０３の映像獲得部１４０、すなわちカメラを引き続き活性化することができる。なお、モバイル装置１０３の通信部１６０は、受信された画質補正値を第２ディスプレイ装置１０２に再び伝送することができる（Ｓ６２８）。
【０１４３】
第２ディスプレイ装置１０２の通信部１６０は、第２ディスプレイ装置１０２の画質補正値を受信することができる（Ｓ６４５）。第２ディスプレイ装置１０２の制御部１７０は、受信された画質補正値を適用して第２ディスプレイ装置１０２のディスプレイ部１２０の画質を調整することができる（Ｓ６４７）。画質調整の結果として、第２ディスプレイ装置１０２の制御部１７０は、画質補正値の適用された第２映像を第１ディスプレイ装置１０１のディスプレイ部１２０を介して表示することができる（Ｓ６４３）。
【０１４４】
第１ディスプレイ装置１０１または第２ディスプレイ装置１０２が画質補正値の適用された第１映像及び第２映像を再び表示する場合、モバイル装置１０３のカメラは、第１映像及び第２映像を再び獲得し、獲得した第１映像及び第２映像を第１ディスプレイ装置１０１に伝送することができる。第１ディスプレイ装置１０１の通信部１６０は、モバイル装置１０３から第１映像及び第２映像を再び受信することができる。そして、第１ディスプレイ装置１０１の制御部１７０は、画質補正値の適用された第１映像及び第２映像の差が一定値以下になるまでステップＳ６０３ないしステップＳ６１６を繰り返し行うことができる。すなわち、第１ディスプレイ装置１０１の制御部１７０は、第１ディスプレイ装置１０１で表示される第１映像の画質及び第２ディスプレイ装置１０２で表示される第２映像の画質が同一または類似するように、ステップＳ６０３ないしステップＳ６１６を繰り返し行うことができる。
【０１４５】
第１ディスプレイ装置１０１の制御部１７０は、第１映像及び第２映像の差が一定値以下になる場合、第１ディスプレイ装置１０１及び第２ディスプレイ装置１０２の画質補正を終了することができる。第１ディスプレイ装置１０１の制御部１７０は、ディスプレイ部１２０を介して第１ディスプレイ装置１０１及び第２ディスプレイ装置１０２の映像の画質がマッチングされたことをユーザに報知することができる。
【０１４６】
上述の本発明の実施形態は、ハードウェア、ソフトウェアまたはハードウェア及びソフトウェアの組み合わせの形態で実現可能であることが分かる。このような任意のソフトウェアは、例えば、削除可能または再記録可否によらず、ＲＯＭ等の保存装置のような揮発性または非揮発性の保存装置、または、例えば、ＲＡＭ、メモリチップ、装置または集積回路のようなメモリ、または、例えば、ＣＤ、ＤＶＤ、磁気ディスクまたは磁気テープ等のような光学または磁気的に記録可能と同時に機械（例えば、コンピュータ）で読み取ることができる記録媒体に保存されてよい。
【０１４７】
本発明の複数のディスプレイ装置間で画質をマッチングする方法は、制御部及びメモリを含むコンピュータまたは携帯用端末によって実現されてよく、上記メモリは、本発明の実施形態を実現する指示を含むプログラムまたはプログラムを保存するのに適する機械で読み取ることができる記録媒体の一例であってよい。よって、本発明は、本明細書の任意の請求範囲に記載された装置または方法を実現するためのコードを含むプログラム及びこのようなプログラムを保存する機械（コンピュータ等）で読み取ることができる記録媒体を含む。なお、このようなプログラムは、有線または無線接続を通じて伝送される通信信号のような任意の媒体を通じて電子的に移送されてよく、本発明はそれと等しいものを適切に含む。なお、本発明の携帯用端末は、有線または無線で接続されるプログラム提供装置から前記プログラムを受信して保存することができる。更に、ユーザは、携帯用端末の設定を調整し、本発明の実施形体に係る動作を携帯用端末内に限定したりネットワークを通じたサーバとの連動で拡張することを選択的に利用することもできる。
【０１４８】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１４９】
１０  通信システム
１００  電子装置
１０１  第１ディスプレイ装置
１０２  第２ディスプレイ装置
１０３  モバイル装置
１１０  映像処理部
１２０  ディスプレイ部
１２１  タッチスクリーン
１３０  ユーザ入力部
１４０  映像獲得部
１４１  イメージセンサ
１５０  保存部
１６０  通信部
１７０  制御部
７０１〜７１５  ピクセル値
８１０、８３０、８５０、８７０  テーブル
８１１、８１２、８１４〜８１６、８１９、８２４、８３１〜８３６、８３９、８４４、８５１、８５２、８５４〜８５６、８７１〜８７６  フィールド
【図１】
2015159540.tif 000003
【図２】
2015159540.tif 000004
【図３】
2015159540.tif 000005
【図４】
2015159540.tif 000006
【図５】
2015159540.tif 000007
【図６】
2015159540.tif 000008
【図７】
2015159540.tif 000009
【図８Ａ】
2015159540.tif 000010
【図８Ｂ】
2015159540.tif 000011
【図８Ｃ】
2015159540.tif 000012
【図８Ｄ】
2015159540.tif 000013